(57)【特許請求の範囲】
【請求項１】
床支持脚の受部材の上部に弾性部材を配置し、この弾性部材の上に、床板を支持する大引材を載置した床緩衝構造であって、
上記受部材は、上記弾性部材を載置する底面部の左右の端部からそれぞれ上方向きに屈曲形成された側面部、及び上記底面部の前後の端部からそれぞれ上方向きに屈曲形成された規制部を有し、
上記規制部の両端部をそれぞれ上記側面部の端面部に溶接により接合し、
上記弾性部材は、上記受部材の底面部に載置され、上面が上記規制部の上端よりも上方の位置に形成される底板部、及びこの底板部の左右の端部から上方に形成され上記受部材の側面部に内接する側板部を有し、
上記弾性部材内に上記大引材を載置保持し、この大引材からの荷重により、上記弾性部材の圧縮変形が所定量に達したとき、上記受部材の規制部に上記大引材が当接して上記弾性部材の変形が制限されることを特徴とする床緩衝構造。
【請求項２】
上記大引材は、上面板部、側面板部及びこれら側面板部からそれぞれ内向きに屈曲形成され、上記弾性部材の底板部に載置する底片部からなり、これら底片部同士の間には、所定の間隔の開口部が形成された断面Ｃ字形状の長尺材からなることを特徴とする請求項１記載の床緩衝構造。
【発明の詳細な説明】
【技術分野】
【０００１】
本発明は、体育館、多目的ホール等において運動競技の他各種イベントが行える床緩衝構造に関する。
【背景技術】
【０００２】
従来、体育館等の大型建物は、運動の場として充分な運動性能が発揮できるように、床支持装置には床との間に弾性部材を設けた構造、或いは大引材を弾性部材で支持する構造を採用し、弾力性能の良い床構造を構築している。
【０００３】
ここで近時、体育館等が通常に運動を行う場所として用いられる以外に、コンサート等の各種イベント会場として用いられる場合がある。このように体育館をイベント会場として使用する場合、会場設定等のためにフォークリフト等の重量機械が館内の床の上を走行し、また多数の人数が館内に出入りすることから床には過大な重量が作用する。このため、イベント会場としても使用される体育館では、床の支持装置は予め過大な荷重に耐え得るように堅牢に構成する必要がある。
【０００４】
このように、過大な重量に耐え得る床構造の床は極めて硬く弾力性能の悪い構造となり、このため運動をする者の足腰を痛めたり、また転倒したときに打撲、怪我などが起こりやすくなるなど安全性においても問題を生じ、通常の運動を行う場所として充分な運動性能が発揮できない。
【０００５】
これに対して、特許文献１には図５に示すような床用の束基礎が開示されている。この床用束基礎は、吸振材８２を、プレート状の圧縮制限片８４とカバー状の圧縮制限片８６とにより上下から挟むようにし、この吸振材８２が所定量の縦圧縮を起こした場合には、両圧縮制限片が互いに相互当接可能となり、防振材の過剰な縦圧縮が防止される構造である。また特許文献２には、大引部材の上に緩衝材及びこの緩衝材の変形量を制限する規制部材を配置し、床板から緩衝材を所定量以上変形する荷重が作用した場合、床板からの荷重が規制部材を介して前記大引部材に直接作用する床構造が開示されている。
【０００６】
【特許文献１】特開平７−３２４４１８号公報
【特許文献２】特許第２７９０２５０号公報
【発明の開示】
【発明が解決しようとする課題】
【０００７】
さて、上記特許文献１及び特許文献２記載の床構造は、弾力性を確保する弾性部材層の変位量を、ストッパ金具を用いて機械的に制限する形態であるため、ストッパ金具の強度及びこれを受止める部材の強度を十分に確保する必要があり、また施工性或いは耐久性についても考慮を払う必要があるなど、設計上も困難を伴うという問題がある。
【０００８】
本発明は上記問題点を解決するためになされたものであり、過大な荷重にも耐えるとともに運動使用時には弾力性能が発揮され、かつ施工性にも優れた床緩衝構造を提供することを目的とする。
【課題を解決するための手段】
【０００９】
以上の技術的課題を解決するため、本発明は、図１に示すように、床支持脚２の受部材３０の上部に弾性部材３２を配置し、この弾性部材の上に、床板を支持する大引材４を載置した床緩衝構造であって、上記受部材３０は、上記弾性部材３２を載置する底面部４０の左右の端部からそれぞれ上方向きに屈曲形成された側面部４２，４３、及び上記底面部４０の前後の端部からそれぞれ上方向きに屈曲形成された規制部４４，４５を有し、上記弾性部材３２は、上記受部材の底面部に載置され、上面が上記規制部４４，４５の上端よりも上方の位置に形成される底板部５６、及びこの底板部５６の左右の端部から上方に形成され上記受部材の側面部４２，４３に内接する側板部６０，６１を有し、この弾性部材３２内に上記大引材４を載置保持し、この大引材４からの荷重により、上記弾性部材３２の圧縮変形が所定量に達したとき、上記受部材の規制部４４，４５に上記大引材４が当接して上記弾性部材３２の変形が制限される構成である。
【００１０】
本発明に係る床緩衝構造において、上記大引材４は、上面板部６２、側面板部６４，６５及びこれら側面板部からそれぞれ内向きに屈曲形成され、上記弾性部材３２の底板部５６に載置する底片部６６，６７からなり、これら底片部６６，６７同士の間には、所定の間隔の開口部６８が形成された断面Ｃ字形状の長尺材からなる構成である。
【発明の効果】
【００１１】
本発明に係る床緩衝構造によれば、受部材は、底面部から上方向きに屈曲形成された側面部及び規制部を有する一方、弾性部材は底板部及びこの底板部から上方に形成され受部材の側面部に内接する側板部を有し、この弾性部材内に載置保持される大引材からの荷重により、弾性部材の圧縮変形が所定量に達したとき、受部材の規制部に大引材が当接して弾性部材の変形が制限される構成を採用したから、床上で運動が行われるときには弾性部材によって床の衝撃が緩和され、また床上を重量機械が走行し或いは荷物等により床に過大な重量が作用したときは高い荷重性能を有するとともに、弾性部材の圧縮が制限されて弾性部材のヘタリ或いは破損が防止され、このように運動時の弾力性を維持しつつ高強度の床が確保でき、加えて構造が簡単で製造容易なことから経済性に優れ、また大引材を受部材と規制部とが一体化されたもので保持するために、強固に安定した支持構造となり、施工も容易に行なえるという効果を奏する。
【００１２】
本発明に係る床緩衝構造によれば、大引材の底片部同士の間には、所定の間隔の開口部が形成された断面Ｃ字形状の長尺材からなる構成としたから、弾性部材の弾性変形可能な空間部が形成されて弾性部材が適切に弾性圧縮でき、良好な緩衝作用が得られるという効果がある。
【発明を実施するための最良の形態】
【００１３】
以下、本発明に係る床緩衝構造の実施の形態を図面に基づいて説明する。
図１は上記床緩衝構造を示したものであり、これは体育館、多目的ホール等において運動競技の他各種イベントが行える床構造である。この床緩衝構造は、床支持脚２、大引材４、根太材６、構造用板材８及び床板１０等を有する。
【００１４】
上記床支持脚２は、支持台２０、支持ボルト２２、受部材３０、弾性部材３２及びボルトとナットからなる締結具３４などからなる。また上記支持ボルト２２には、上部ナット２４、下部ナット２５、ワッシャ２６及び締結ナット２８が螺着等されている。上記支持台２０は、上板部３５の左右の端部から下方に向けて末広がり状に形成された脚部３６、およびこれら脚部３６の下端部からそれぞれ水平外向きに屈曲形成された固定部３８を有する。
【００１５】
図２に示すように上記受部材３０は略Ｕ字状であり、中央に形成された平坦な底面部４０、この底面部４０の左右部位からそれぞれ上方に立設した側面部４２，４３、及び上記底面部４０の前後部位から上方に立設形成された規制部４４，４５を有している。この受部材３０は、十字状に打ち抜いた鋼板をプレス加工により屈曲成形したものである。
【００１６】
上記受部材３０の成形に際しては、上記十字状の鋼板の中央部の矩形状の部位を底面部４０とし、この底面部４０の左右部位を上方に向けて屈曲して上記側面部４２，４３を形成し、底面部４０の前後部位を上方に屈曲して上記規制部４４，４５を形成する。そして、この規制部４４，４５の両端部を上記側面部４２，４３の端面部４６，４７に当接させた状態で、規制部４４，４５の各端部を側面部４２，４３の端面部４６，４７に溶接（溶接部４８）により接合する。
【００１７】
ここでは、上記受部材３０には板厚３．２ｍｍの鋼板を用い、また上記規制部４４，４５の立上がる高さは、底面部４０の上面から８ｍｍ程度の高さとしている。また、上記受部材３０の底面部４０の中央には円形の孔部５０が設けられ、上記側面部４２，４３の上部近傍の中央にはそれぞれ挿通孔５２が設けられている。そして、上記底面部４０の裏面部には、上記孔部５０と孔同士が貫通する状態で六角のナット体３１が取り付けられている。このナット体３１は、カシメ（カシメナットを使用）或いは溶接により受部材３０に固定される。
【００１８】
図３に示すように、上記弾性部材３２は、底板部５６及びこの底板部５６の左右の端部からそれぞれ上方に立上る側板部６０，６１からなる断面Ｕ字形状の部材である。この弾性部材３２は、ゴム或いは合成樹脂等の弾性体からなる。この弾性部材３２は、底板部５６が上記受部材３０の底面部４０に載置されるとともに、側板部６０，６１がそれぞれ受部材３０の側面部４２，４３に内接する。このように、弾性部材３２は受部材３０内に四方が密着収納され、安定した状態で配置される。
【００１９】
ここでは、上記弾性部材３２の底板部５６の厚さを１５ｍｍとして好適な弾性性能を確保している。また、受部材３０の規制部４４，４５の高さは、底面部４０の上面から８ｍｍ程度の高さとしていることから、弾性部材３２の底板部５６の上面は、規制部４４，４５の上端よりも７ｍｍ程度上に位置する。
【００２０】
上記大引材４は、上面板部６２、側面板部６４，６５及びこれら側面板部からそれぞれ内向きに屈曲形成された底片部６６，６７からなる断面Ｃ字形状の鋼材である。これら底片部６６，６７同士の間には、所定の間隔の開口部６８が形成されている。この開口部６８の開口率、即ち大引材４の横幅寸法（Ｗ）に対する開口部６８の間隔（Ｓ）の割合（Ｓ／Ｗ）は、ここでは４０％程度としている。上記根太材６は、上面部、側面部及びこれら側面部からそれぞれ外向きに屈曲形成されたフランジ部からなる断面ハット状の鋼材である。
【００２１】
上記弾性部材３２が配置された受部材３０は、ナット体３１を介して支持ボルト２２の先端部に螺着され、下部からワッシャ２６を介して締結ナット２８で締め付ける。このとき、受部材３０のナット体３１に螺入された支持ボルト２２は、その先端部が底面部４０の孔部５０内を挿通可能であり、適宜な位置で締結ナット２８を締め付けて受部材３０を支持ボルト２２に固定する。
【００２２】
床支持脚２の支持ボルト２２の高さについては、支持台２０の上板部３５に設けられた孔部に、上部ナット２４が螺合されワッシャ２６が嵌め込まれた支持ボルト２２を挿通し、下から下部ナット２５を螺合させ、これら上部ナット２４と下部ナット２５の位置を加減して支持ボルト２２の高さを調節する。
【００２３】
さて、上記床緩衝構造の施工に際しては、床の基礎面７０に上記床支持脚２を所定の間隔で配置し、支持台２０の固定部３８を接着剤などを用いて基礎面７０に固定し、各床支持脚２の高さ調節を行う。そして各床支持脚２間に大引材４を架設し、両底片部６６，６７を下にして受部材３０内の弾性部材３２の底板部５６に載置する。
【００２４】
上記大引材４を配置した後、受部材３０の側面部４２，４３に設けた挿通孔５２間に、締結具３４としてのボルトを挿通しナットを締めて側面部４２，４３同士を所定の押圧力で挟み、大引材４を受部材３０に狭持固定する。このとき、大引材４の側面板部６４，６５と受部材３０の側面部４２，４３との間には、弾性部材３２の側板部６０，６１が介在して大引材４を弾性保持する。そして、大引材４の上部には、大引材４と直交する方向に根太材６を所定間隔をおいて配置し、これら根太材６の上部に構造用板材８及び床板１０を敷設して床を仕上げる。
【００２５】
図４は、上記床緩衝構造を施した床に荷重が加わった場合に、この荷重による床支持脚２の弾性圧縮状態を示したものである。図４（ａ）は、床にほとんど荷重が加わらない無負荷時の弾性部材３２の状態を示す。この状態では、大引材４の押圧による弾性部材３２の圧縮は殆ど生じていない。
【００２６】
図４（ｂ）は、床に、人の運動時の衝撃荷重或いはこれと同程度の機材などの荷重が加わったときの弾性部材３２の状態を示す。この状態では、大引材４の底片部６６，６７の押圧により弾性部材３２の底板部５６が少し弾性圧縮し、この圧縮変形により開口部６８から変形した弾性体が膨出（膨出部５７）する現象が生じている。このように上記開口部６８は、弾性圧縮によって生じる弾性体の膨出変形を可能にさせるための空間部を確保するものである。このとき、大引材４は受部材３０の規制部４４，４５には当接していない。このため、上記弾性圧縮状態では弾性部材３２の吸振効果が発揮され、運動者の衝撃を有効に緩和し緩衝する。
【００２７】
図４（ｃ）は、床にフォークリフト、重量機材などの大重量の荷重が加わった過負荷時の弾性部材３２の状態を示す。この状態では、大引材４からの押圧により弾性部材３２の底板部５６が大きく弾性圧縮し、この圧縮変形により開口部６８から圧縮変形した弾性体が大きく膨出（膨出部５８）する現象が生じている。
【００２８】
そしてこの状態では、大引材４は大きく沈み込み底片部６６，６７が受部材３０の規制部４４，４５に当接した状態となっている。このため、大引材４のこれ以上の沈み込みが制限されて弾性部材３２の過大な圧縮が規制され、これにより弾性部材３２の破損が防止され耐久性も良くなる。また上記弾性圧縮制限に伴う規制部４４，４５の剛性ある支持により、高剛性の床緩衝構造が形成され優れた耐荷重性能を発揮する。
【００２９】
したがって、上記実施の形態に係る床緩衝構造によれば、床を形成する大引材は弾性部材によって弾性支持されていることから、スポーツなどでの押圧力に対して好適な弾力性を有し、また展示会やコンサート等のイベント開催時にフォークリフト等の重量物がフロアを移動等するときは、大引材は、弾性部材が所定量圧縮した後は受部材の規制部で強固に支持され高剛性のフロアが構築される。
【００３０】
このように上記床緩衝構造によれば、柔剣道場などのスポーツ施設として良好な緩衝性を有するフロアが得られる一方、イベント開催時には重量物であっても受部材の規制部で十分な強度が維持されるため、高い載荷重性能を発揮する。また、床支持脚のＵ字状の受部材に規制部を設けた簡単な構造であるため、製造が容易で経済性に優れるとともに、弾力性の高い弾性部材の選択が可能であり、運動時の弾力性能を高い水準で確保することができ施工も容易に行なえるという効果がある。
【図面の簡単な説明】
【００３１】
【図１】本発明の実施の形態に係る床緩衝構造の側面を示す図である。
【図２】床支持脚の受部材を示す図で、（ａ）は平面図を、（ｂ）は正面図を、（ｃ）は側面図をそれぞれ示す。
【図３】床支持脚の部分分解図である。
【図４】床緩衝構造の作用を示す図であり、（ａ）は軽量荷重、（ｂ）は運動時等の荷重、（ｃ）は重量荷重が加わった状態を示す。
【図５】従来例に係る床用束基礎を示す図である。
【符号の説明】
【００３２】
２  床支持脚
４  大引材
３０  受部材
３２  弾性部材
４０  底面部
４２，４３  側面部
４４，４５  規制部
５６  底板部
６０，６１  側板部
６４，６５  側面板部
６２  上面板部
６６，６７  底片部
６８  開口部
【図１】
0004712484.tif 000002
【図２】
0004712484.tif 000003
【図３】
0004712484.tif 000004
【図４】
0004712484.tif 000005
【図５】
0004712484.tif 000006